(57)【要約】【課題】操作性を向上することができる伸縮支柱それを用いた投光機を提供する。【解決手段】伸縮支柱１は、複数の管柱を互いに入れ子式に挿入して伸縮自在としたマスト６と、前記マスト６を緩やかに収縮させるブレーキ機構16とを備える。前記ブレーキ機構16は、前記マスト６の基端となる基端管柱に設けられた圧力調整部25と、前記マスト６の先端となる先端管柱に設けられた閉塞部26と、前記圧力調整部25と前記閉塞部26とで仕切ることによってマスト６の内部に形成した空気室27とを有する。前記圧力調整部25は、前記空気室27と外部とを連通する第１の通気穴31と、前記空気室27と外部とを連通する第２の通気穴32と、前記第２の通気穴32のみを開閉自在に閉塞する弁体33とが設けられている。【選択図】図２
2009540220.tif 000002
【特許請求の範囲】
【請求項１】
複数の管柱を互いに入れ子式に挿入して伸縮自在としたマストと、
前記マストを緩やかに収縮させるブレーキ機構とを備えた
伸縮支柱であって、
前記ブレーキ機構は、
前記マストの基端となる基端管柱に設けられた圧力調整部と、
前記マストの先端となる先端管柱に設けられた閉塞部と、
前記圧力調整部と前記閉塞部とで仕切ることによってマストの内部に形成した空気室とを有し、
前記圧力調整部は、
前記空気室と外部とを連通する第１の通気穴と、
前記空気室と外部とを連通する第２の通気穴と、
前記第２の通気穴のみを開閉自在に閉塞する弁体とが設けられている
ことを特徴とする伸縮支柱。
【請求項２】
前記弁体は、外部から前記空気室内へ流れる空気を通すと共に、前記空気室内から外部へ流れる空気を止めることを特徴とする請求項１記載の伸縮支柱。
【請求項３】
前記閉塞部は、
前記基端管柱の内壁を摺動するシールと、
前記シールに潤滑油を供給する潤滑油供給機構と
を有することを特徴とする請求項１又は２記載の伸縮支柱。
【請求項４】
前記先端管柱と前記基端管柱との間に一又は二以上の中管柱を備え、
前記中管柱は、前記先端管柱と前記基端管柱とを連通する連通部を有し、
前記連通部は、
前記基端管柱の内壁を摺動するシールと、
前記シールに潤滑油を供給する潤滑油供給機構と
を有することを特徴とする請求項１〜３のうちいずれか１項に記載の伸縮支柱。
【請求項５】
前記潤滑油供給機構は、前記空気室に連通する供給穴が形成されていることを特徴とする請求項４記載の伸縮支柱。
【請求項６】
請求項１〜５のうちいずれか１項に記載の伸縮支柱を備えたことを特徴とする投光機。
【発明の詳細な説明】
【技術分野】
【０００１】
本発明は、伸縮支柱及びそれを用いた投光機に関し、特に、先端に固定対象物を取り付けて、前記固定対象物を所定高さに保持することができる伸縮支柱に関するものである。
【背景技術】
【０００２】
従来、この種の伸縮支柱としては、固定対象物としての照明装置と、前記照明装置に電力を供給する電源装置としての発電機とを備える投光機に使用される昇降棒が開示されている（例えば、特許文献１）。この投光機において、昇降棒は、前記照明装置を取り付けた先端を鉛直方向上方に向けた状態で立設され、伸縮するように構成されている。
【０００３】
この昇降棒は、基管柱に対して逐次外径を小さくした少なくとも一つの中管柱を順次入れ子式に遊嵌してなり、各中管柱をユーザが上下方向に移動させることによって、長さを調節して、前記照明装置を所定高さに保持し得るよう形成されている。
【０００４】
これにより、上記特許文献１は、簡単な構成で、かつ、確実に照明装置を所定高さに保持することができるものである。
【特許文献１】実用新案登録第３０９２４５３号公報
【発明の開示】
【発明が解決しようとする課題】
【０００５】
しかしながら、上記特許文献１では、相当の重量物である照明装置を上端に取り付けた場合、昇降棒には鉛直方向の荷重がかかる。従って、昇降棒は、伸長した状態から収縮させる場合、上記鉛直方向の荷重により、昇降棒が急に落下するという懸念があった。このような問題は、照明装置の重量が大きくなればなるほど顕著なものとなり、操作性が悪化するという問題があった。
【０００６】
そこで本発明は上記した問題点に鑑み、操作性を向上することができる伸縮支柱それを用いた投光機を提供することを目的とする。
【課題を解決するための手段】
【０００７】
上記目的を達成するために、本発明は、複数の管柱を互いに入れ子式に挿入して伸縮自在としたマストと、前記マストを緩やかに収縮させるブレーキ機構とを備えた伸縮支柱であって、前記ブレーキ機構は、前記マストの基端となる基端管柱に設けられた圧力調整部と、前記マストの先端となる先端管柱に設けられた閉塞部と、前記圧力調整部と前記閉塞部とで仕切ることによってマストの内部に形成した空気室とを有し、前記圧力調整部は、前記空気室と外部とを連通する第１の通気穴と、前記空気室と外部とを連通する第２の通気穴と、前記第２の通気穴のみを開閉自在に閉塞する弁体とが設けられていることを特徴とする。
【発明の効果】
【０００８】
本発明の伸縮支柱によれば、マストを収縮させる場合には、第２の通気穴を弁体で塞ぐことにより、予め空気室内の空気を緩やかに逃がすように選定された第１の通気穴からのみ、圧縮空気を外部へ逃がすことができると共に、マストを伸長させる場合には、第１の通気穴と共に第２の通気穴からも空気を供給することとしたことにより、格段と容易にマストを引き上げることができるので、操作性を向上することができる。
【発明を実施するための最良の形態】
【０００９】
以下図面を参照して、本発明の好適な実施形態について説明する。
１．全体構成
図１に示す伸縮支柱１は、固定対象物としての照明装置２、電源装置３、及び、基台としての搬送装置４とからなる投光機５に用いられる。この投光機５は、伸縮支柱１の先端に照明装置２を装着し、該伸縮支柱１及び電源装置３を搬送装置４に取付固定して構成される。これにより、投光機５は、全体として、適当な場所に移動した上で、伸縮支柱１によって所定高さに保持された照明装置２に、電源装置３から電力を供給して、周囲に光を供給し得る。
【００１０】
伸縮支柱１は、複数の管柱を互いに入れ子式に挿入して伸縮自在としたマスト６を備える。前記マスト６は、３本の筒形の管柱で構成され、搬送装置４に固定される基端管柱としての第１の管柱７と、前記第１の管柱７より外径を小さくした中管柱としての第２の管柱８と、前記第２の管柱８より外径を小さくした先端管柱としての第３の管柱９とを備える。そして、マスト６は、前記第１の管柱７に第２の管柱８を内挿し、さらに、前記第２の管柱８に第３の管柱９を内挿して伸縮自在に構成されている。第３の管柱９の上端には、第３の管柱９に対し上下動可能に設けられた取付杆10が設けられており、該取付杆10に前記照明装置２が着脱自在に取り付けられている。
【００１１】
このように本発明に係る伸縮支柱１は、先端を鉛直方向上方に向けた状態で基端が搬送装置４に固定され、伸縮することによって、照明装置２を所定高さに保持し得るように構成されている。
【００１２】
図２に示すように、伸縮支柱１は、マスト６と、ストッパー機構15,15と、ブレーキ機構16と、潤滑油供給機構17,17とを備え、円滑にマスト６を伸縮できるように構成されている。
【００１３】
ストッパー機構15,15は、第１の管柱７及び第２の管柱８の先端に設けられている。これらのストッパー機構15,15は、設置箇所が異なるのみで、構成は何ら異ならないので、簡単のため第１の管柱７に設けられたストッパー機構15について説明する。このストッパー機構15は、筒状の保持体20と、着脱ネジ21とからなる。前記保持体20は、第１の管柱７の先端に固定されてなり、第２の管柱８の外面側壁に当接し得るように上端に設けられた折り返し部20aと、半径方向に貫通するタップ穴22とを備える。また、着脱ネジ21の先端には、第１の管柱７の外面側壁に当接する当接部21aが設けられている。このストッパー機構15は、着脱ネジ21を螺合して、折り返し部20aを第２の管柱８の外面側壁に押し当てることにより、第２の管柱８を第１の管柱７に対し固定する。尚、ストッパー機構15は、上記した構成に限定されるものではなく、種々の公知のストッパー機構15を適用することができることはいうまでもない。
【００１４】
ブレーキ機構16は、第１の管柱７の下端開口に設けられた圧力調整部25と、第３の管柱９の下端開口に設けられた閉塞部26と、前記圧力調整部25と前記閉塞部26とで仕切ることによりマスト６の内部に形成された空気室27とを備えている。尚、第２の管柱８の下端開口には、第１の管柱７の内側と第３の管柱９の内側とを連通する連通部28が設けられている。
【００１５】
圧力調整部25は、マスト６の伸長時又は収縮時に対応して、空気室27内の圧力を適宜調整し得るように構成されている。この圧力調整部25は、第１の管柱７の下端開口を塞ぐ底板部材30を有し、該底板部材30に第１の通気穴31、第２の通気穴32、及び弁体33とが設けられており、第１の管柱７の下端開口に固定されている。
【００１６】
第１の通気穴31及び第２の通気穴32は、第１の管柱７の軸方向に貫通してなる。第１の通気穴31は、空気室27内の空気を外部へ緩やかに逃がし得るように形成されている。一方、第２の通気穴32は、外部から空気室27の内部へ空気を円滑に取り込み得るように形成されている。従って、第２の通気穴32は、第１の通気穴31に対し大きく形成されている。
【００１７】
弁体33は、外部から空気室27内へ流れる空気は通すが、空気室27内から外部へ流れる空気は止める、いわゆる逆止弁として機能する。この弁体33は、弾性変形可能なゴムの板状部材を、縦長の矩形状に形成してなり、一端33aを前記第２の通気穴32を塞ぐように配置した状態で、他端33bにおいて底板部材30にボルト34で固定されている。
【００１８】
閉塞部26は、空気室27の上端の気密を保持し得るように構成されている。この閉塞部26は、第３の管柱９を閉塞する底部材40と、シール41とを備える。また、閉塞部26は、前記シール41に潤滑油としてのグリースを供給する前記潤滑油供給機構17,17が一体的に設けられている。
【００１９】
シール41は、空気室27の上端の気密を保持すると共に、第３の管柱９を円滑に上下動させ得るように構成されている。このシール41は、有底筒状の部材からなり、底面に対し拡開してなる開口端41aにおいて第２の管柱８の内壁に環状に接触している。
【００２０】
潤滑油供給機構17,17は、前記第３の管柱９の下端開口を塞いでいる底部材40に対向して設けられた天部材42を有し、前記底部材40と前記天部材42との間にグリースを溜めておく貯留室43を形成している。天部材42は、貯留室43に連通する供給穴44と、固定部材としての六角ボルト45が螺合するタップ穴46とが設けられている。貯留室43には、前記シール41に貯留室43内のグリースを供給する吐出穴47が設けられている。この吐出穴47は、第３の管柱９の側壁に設けられている。貯留室43には、グリースが充填されている。
【００２１】
次に、上記のように構成した潤滑油供給機構17の組み立て手順について説明する。先ず、第３の管柱９の内側に貯留室43を形成し得るように、下端開口に対向して天部材42を設置して、該天部材42を六角穴付ボルト48で、第３の管柱９の側壁に固定する。また、底部材40とシール41とは、底部材40の一面にシール41の底面を当接させ、中央に穿設された貫通穴に挿通した六角ボルト45を天部材42に形成されたタップ穴46に螺合することにより、第３の管柱９の下端開口に固定される。このようにして潤滑油供給機構17は形成されている。
【００２２】
また、第２の管柱８に設けられた連通部28及び潤滑油供給機構17は、第３の管柱９に設けられた閉塞部26と、固定部材のみが異なる。すなわち、第２の管柱８に設けられた連通部28では、固定部材として連通穴付ボルト50が用いられる。この連通穴付ボルト50は、第２の管柱８の底部を挟んで第３の管柱９側と、第１の管柱７側とを連通する連通穴51が中心軸上に形成されている。
【００２３】
２．作用及び効果
次に上記のように構成した伸縮支柱１の作用及び効果について説明する。伸縮支柱１を備えた投光機５は、搬送装置４によって、設置場所に移動され、該設置場所において、マスト６を伸長させることにより、照明装置２を所定高さに保持する。従って、マスト６が収縮した状態から、マスト６が伸長した状態に移行する場合について、最初に説明する。
【００２４】
マスト６を伸長させるには、着脱ネジ21を緩め、第２の管柱８及び第３の管柱９を引き上げる。そうすると、第１の管柱７の圧力調整部25と第３の管柱９の閉塞部26とで形成された空気室27の容積が増える。尚、第２の管柱８は、第３の管柱９と共に上方へ移動するので、第２の管柱８のみを引き上げたとしても、第１の管柱７の圧力調整部25と第３の管柱９の閉塞部26とで形成された空気室27の容積が増えることとなる。因みに、空気室27の上端は、第３の管柱９の閉塞部26に設けたシール41により気密が保持されている。そうすると、空気室27は一時的に負圧となる。従って、この負圧より、第１の管柱７の底板部材30に設けた第１の通気穴31を通じて外部から空気が空気室27に流れ込む。
【００２５】
ところで、第３の管柱９の上方への移動量、すなわち空気室27の容積の増加量に対し、第１の通気穴31から供給される空気の量が少ないと、空気室27は依然として負圧のままとなる。この空気室27の負圧は、容積を縮める方向の力、すなわち第３の管柱９の閉塞部26に対し鉛直下方の力を発生させるので、その分、鉛直上方への力が減じられ、場合によっては相殺されることとなる。従って、空気室27に生じる負圧は、マスト６を引き上げるユーザに対し負荷を与えることとなる。
【００２６】
これに対し、本発明では、第２の通気穴32を形成し、第１の通気穴31だけでなく、第２の通気穴32からも空気室27に空気が供給されるように構成した。これにより、第２の通気穴32の空気室27内側の開口から、外部の空気が空気室27内へ流れ込む。従って、第１の通気穴31と共に第２の通気穴32からも空気を供給することとしたので、空気室27の負圧を解消することにより、格段と容易に第２の管柱８及び第３の管柱９を引き上げることができる。従って、伸縮支柱１は、伸長時において、空気室27内の負圧を確実に解消することにより、容易にマストを伸長させることができるので、操作性を確実に向上することができる。
【００２７】
尚、第２の通気穴32には、弁体33が設けられている。この弁体33は、弾性変形可能なゴムの板状部材で構成した。マスト６が伸長され空気室27内が負圧になると、弁体33は、第２の通気穴32を塞いでいた一端33aがこの負圧によって上方へ引っ張られる。これにより弁体33は、第２の通気穴32を開放する（図３（Ａ））。このようにして圧力調整部25は、マスト６の伸長時において弁体33を開いて第２の通気穴32を開放し、第１の通気穴31に加え、第２の通気穴32からも空気を空気室27内に取り込めるようにして、空気室27の負圧を確実に解消することとした。
【００２８】
このようにして第２の管柱８及び第３の管柱９を所定の長さまで引き上げた後、伸縮支柱１は、着脱ネジ21を締めることで、マスト６の先端に取り付けた照明装置２を所定高さに保持することができる。この状態において、図示しない電源スイッチをオンにすることによって、電源装置３から電力が供給され、ファンによって供給された空気でバルーンが膨らむと同時に、電球が点灯する。このようにして、脚装置は、所定高さに照明装置２を保持し、周囲に光を供給し得る。
【００２９】
次に、マスト６が伸長した状態から、マスト６が収縮した状態に移行する場合について説明する。先ず、電源スイッチをオフし、バルーンに対する空気の供給を止めてバルーンを萎ませると共に、電球を消灯する。
【００３０】
次いで、伸長したマスト６を収縮させるには、着脱ネジ21を緩め、第２の管柱８及び第３の管柱９を下方へ移動させる。この場合、第２の管柱８及び第３の管柱９は、それぞれの自重、及び照明装置２の自重により、鉛直下方へ相当程度の荷重が生じる。この荷重により、第２の管柱８及び第３の管柱９は、自由落下する。
【００３１】
これにより、第１の管柱７の圧力調整部25と第３の管柱９の閉塞部26とで形成された空気室27は、容積が減ることとなる。そうすると、空気室27内の空気は圧縮空気となる。因みに、空気室27の上端は、第３の管柱９の閉塞部26に設けたシール41により気密が保持されているので、空気室27内の圧縮空気は、第１の通気穴31を通じて外部へと流れ出す。この第１の通気穴31は、予め圧縮空気を緩やかに流すように選定されている。これにより、圧力調整部25は、一定の流速以下で圧縮空気を外部へ逃がすことにより、空気室27の圧力を所定圧に保持する。この空気室27の圧力によって、第３の管柱９の閉塞部26には鉛直上方への力が生じる。従って、伸縮支柱１は、空気室27内を所定圧に保持して上記鉛直上方の力を生じさせ、この鉛直上方の力を、第２の管柱８、第３の管柱９、及び照明装置２の自重によって生じる鉛直下方の力に対向させることにより、マスト６を緩やかに収縮させる。このようにして、伸縮支柱１は、マスト６を収縮させる場合に、マスト６が急に落下するのを防いで、操作性を向上することができる。因みに、空気室27の圧力は、マスト６の収縮に伴って減少し、第３の管柱９が下死点に達した状態で大気圧となる。
【００３２】
尚、第１の管柱７の底板部材30には、第２の通気穴32が形成されているが、該第２の通気穴32は、弁体33で塞がれており、かつ、弁体33は圧縮空気により底板部材30に押し付けられているので、第２の通気穴32を確実に閉塞しておくことができる。すなわち、予め空気室27内の空気を緩やかに逃がすように選定された第１の通気穴31からのみ、圧縮空気を外部へ逃がすことができる。これにより、伸縮支柱１は、空気室27の容積を緩やかに減少させ、その結果、この空気室27の容積の減少に伴ってマスト６を緩やかに収縮させる。こうして、伸縮支柱１は、第２の管柱８、第３の管柱９、及び、照明装置２の自重によって収縮させる場合でも、マスト６が急に落下するのを確実に防止することができるので、操作性を向上することができる。
【００３３】
さらに、本実施形態では、弁体33は、弾性変形可能なゴムの板状部材を、縦長の矩形状に形成してなり、一端33aが前記第２の通気穴32を塞ぐように配置した状態で、他端33bにおいて底板部材30にボルト34で固定されている。これにより、空気室27内が負圧となったとき、すなわちマスト６が伸長した場合には、弁体33は、負圧によって上方へ引っ張られ、これにより第２の通気穴32を開放する。一方、空気室27内に圧縮空気が形成されたとき、すなわちマスト６が収縮した場合には、弁体33は、底板部材30に押し付けられ、確実に第２の通気穴32を閉塞する。このようにして、弁体33は、マスト６の伸縮に合わせて適宜第２の通気穴32を閉塞又は開放する。これにより、圧力調整部25は、空気室27の圧力を適宜調整し、収縮時には外部へ逃がす空気の量を絞り、マスト６を緩やかに収縮させると共に、伸長時には外部から空気を効率よく流し込み、マスト６を引き上げるユーザに負荷を与えないようにする。従って、伸縮支柱１は、空気室27の空気をマスト６の伸縮に合わせて適切に調整することができるので、ユーザが特に意識しなくても、操作性を確実に向上することができる。
【００３４】
また、マスト６の伸縮に伴い、第２の管柱８及び第３の管柱９に設けたシール41はそれぞれ第１の管柱７及び第２の管柱８の内壁と摺動する。この第２の管柱８及び第３の管柱９には、潤滑油供給機構17,17を設け、シール41にグリースを供給し得るように構成した。これにより、シール41には常にグリースが供給されるので、磨耗、劣化を防いで円滑に摺動させることができる。従って、本実施形態に係る伸縮支柱１は、操作性を向上することができる。
【００３５】
さらに、第２の管柱８に設けられた連通部28の潤滑油供給機構17,17は、強制的にグリースをシール41に供給し得るように構成されている。すなわち、潤滑油供給機構17,17の天部材42には、貯留室43に連通する供給穴44が形成されており、この供給穴44を通じて、マスト６を収縮する際に空気室27内に形成される上記圧縮空気が貯留室43内のグリースを加圧する。圧縮空気によって加圧された貯留室43内に貯留されているグリースは、第３の管柱９の側壁に形成された吐出穴47から押し出されて、シール41に供給される。
【００３６】
このように、本発明に係る伸縮支柱１では、マスト６を収縮させた場合に空気室27内に形成される圧縮空気で貯留室43内のグリースを加圧することにより、強制的にシール41にグリースを供給することができる。すなわち、通常の使用を継続している限り、本実施形態に係る伸縮支柱１によれば、ユーザが何ら意識しなくても、貯留室43に貯留されているグリースを確実にシール41に供給し続けることができる。従って、伸縮支柱１は、シール41の劣化を防いで円滑に動作させることができるので、操作性をより確実に向上することができる。
【００３７】
また、第２の管柱８に設けた連通部28には、固定部材として連通穴付ボルト50を用いた。これにより、グリースを貯留しておく貯留室43に別途連通穴51を設けることなく、確実に第１の管柱７側と第３の管柱９側とを連通して、空気室27を形成することができる。従って、伸縮支柱１では、マスト６を製造する際の製造工数を低減できると共に、連通穴51からのグリース漏れを防止することができる。
【００３８】
次に、弁体60の変形例について図４を参照して説明する。図４に示す弁体60は、第２の通気穴32の空気室27側に形成されたオリフィス32aを塞ぐように設けられたケース61と、該ケース61内に装填されたコイルバネ62と、該コイルバネ62によって付勢された状態で前記第２の通気穴32を閉塞するように設置されたボ−ル弁63とからなる。尚、ケース61体には、予め空気穴64が穿設されている。
【００３９】
このように構成された弁体60は、マスト６を収縮する場合、すなわち、空気室27内の圧力の方が外気圧より高い場合は、コイルバネ62の付勢力によってボ−ル弁63が第２の通気穴32に押し付けられ、第２の通気穴32を閉塞する。これにより、伸縮装置１は、空気室27内の空気を第１の通気穴31のみから緩やかに逃がすことにより、マスト６を緩やかに収縮する。
【００４０】
一方、マスト６を伸長する場合、すなわち、外気圧と空気室27内の圧力差によってボ−ル弁63に生じる上方向の力が、コイルバネ62の付勢力より大きくなった場合、ボ−ル弁63が前記上方向の力によってオリフィス32aから持ち上げられることにより、第２の通気穴32が開放される。これにより、マスト６は第１の通気穴31に加え、第２の通気穴32を通って空気穴64から空気室27内に外気を取り込むことができる。従って、伸縮装置１は、ユーザに負担を与えることなく、マスト６を円滑に伸長することができる。
【００４１】
本発明は、本実施形態に限定されるものではなく、本発明の要旨の範囲内で種々の変形実施が可能である。例えば、本実施形態では、中管柱は第２の管柱８を１本とした場合について説明したが、本発明はこれに限らず、中管柱を２本、３本等、複数本としてもよいし、あるいは全く設けないこととしてもよい。
【００４２】
また、上記した実施形態では、マスト６は筒形の管柱で構成した場合について説明したが、本発明はこれに限らず、矩形の管柱で構成してもよい。
【００４３】
また、上記した実施形態では、基台は、搬送装置４とした場合について説明したが、本発明はこれに限らず、展開可能な三脚としてもよい。
【００４４】
また、上記した実施形態では、固定対象物は、照明装置２とした場合について説明したが、本発明はこれに限らず、カメラや、スピーカに適用してもよい。
【００４５】
また、上記した実施形態では、照明装置２は、バルーンを備えるものについて説明したが、本発明はこれに限らず、スポットライトとしてもよい。
【００４６】
また、上記した実施形態では、弁体33は、弾性変形可能なゴムの板状部材で構成した場合について説明したが、本発明はこれに限らず、弾性を有する他の部材、例えば、金属の板状部材などで構成してもよい。
【図面の簡単な説明】
【００４７】
【図１】本発明に係る伸縮支柱の使用状態を示す投光機の全体斜視図である。
【図２】同上、伸縮支柱の縦断面図である。
【図３】同上、圧力調整部の使用状態を示す斜視図であり、（Ａ）伸長時、（Ｂ）収縮時を示す図である。
【図４】同上、弁体の変形例を示す断面図である。
【図１】
2009540220.tif 000003
【図２】
2009540220.tif 000004
【図３（Ａ）】
2009540220.tif 000005
【図３（Ｂ）】
2009540220.tif 000006
【図４】
2009540220.tif 000007
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
複数の管柱を互いに入れ子式に挿入して伸縮自在としたマストと、
前記マストを緩やかに収縮させるブレーキ機構とを備えた
伸縮支柱であって、
前記ブレーキ機構は、
前記マストの基端となる基端管柱に設けられた圧力調整部と、
前記マストの先端となる先端管柱に設けられた閉塞部と、
前記圧力調整部と前記閉塞部とで仕切ることによってマストの内部に形成した空気室と
を有し、
前記圧力調整部は、
前記空気室と外部とを連通する第１の通気穴と、
前記空気室と外部とを連通する第２の通気穴と、
前記第２の通気穴のみを開閉自在に閉塞する弁体とが設けられており、
前記弁体は、自重により前記第２の通気穴を閉塞し得るように設けられている
ことを特徴とする伸縮支柱。
【請求項２】
前記弁体は、外部から前記空気室内へ流れる空気を通すと共に、前記空気室内から外部
へ流れる空気を止めることを特徴とする請求項１記載の伸縮支柱。
【請求項３】
前記閉塞部は、
前記基端管柱の内壁を摺動するシールと、
前記シールに潤滑油を供給する潤滑油供給機構と
を有することを特徴とする請求項１又は２記載の伸縮支柱。
【請求項４】
前記先端管柱と前記基端管柱との間に一又は二以上の中管柱を備え、
前記中管柱は、前記先端管柱と前記基端管柱とを連通する連通部を有し、
前記連通部は、
前記基端管柱の内壁を摺動するシールと、
前記シールに潤滑油を供給する潤滑油供給機構と
を有することを特徴とする請求項１〜３のうちいずれか１項に記載の伸縮支柱。
【請求項５】
前記潤滑油供給機構は、前記空気室に連通する供給穴が形成されていることを特徴とする請求項４記載の伸縮支柱。
【請求項６】
請求項１〜５のうちいずれか１項に記載の伸縮支柱を備えたことを特徴とする投光機。
【手続補正２】
【補正対象書類名】明細書
【補正対象項目名】全文
【補正方法】変更
【補正の内容】
【発明の詳細な説明】
【技術分野】
【０００１】
本発明は、伸縮支柱及びそれを用いた投光機に関し、特に、先端に固定対象物を取り付けて、前記固定対象物を所定高さに保持することができる伸縮支柱に関するものである。
【背景技術】
【０００２】
従来、この種の伸縮支柱としては、固定対象物としての照明装置と、前記照明装置に電力を供給する電源装置としての発電機とを備える投光機に使用される昇降棒が開示されている（例えば、特許文献１）。この投光機において、昇降棒は、前記照明装置を取り付けた先端を鉛直方向上方に向けた状態で立設され、伸縮するように構成されている。
【０００３】
この昇降棒は、基管柱に対して逐次外径を小さくした少なくとも一つの中管柱を順次入れ子式に遊嵌してなり、各中管柱をユーザが上下方向に移動させることによって、長さを調節して、前記照明装置を所定高さに保持し得るよう形成されている。
【０００４】
これにより、上記特許文献１は、簡単な構成で、かつ、確実に照明装置を所定高さに保持することができるものである。
【特許文献１】実用新案登録第３０９２４５３号公報
【発明の開示】
【発明が解決しようとする課題】
【０００５】
しかしながら、上記特許文献１では、相当の重量物である照明装置を上端に取り付けた場合、昇降棒には鉛直方向の荷重がかかる。従って、昇降棒は、伸長した状態から収縮させる場合、上記鉛直方向の荷重により、昇降棒が急に落下するという懸念があった。このような問題は、照明装置の重量が大きくなればなるほど顕著なものとなり、操作性が悪化するという問題があった。
【０００６】
そこで本発明は上記した問題点に鑑み、操作性を向上することができる伸縮支柱それを用いた投光機を提供することを目的とする。
【課題を解決するための手段】
【０００７】
上記目的を達成するために、本発明は、複数の管柱を互いに入れ子式に挿入して伸縮自在としたマストと、前記マストを緩やかに収縮させるブレーキ機構とを備えた伸縮支柱であって、前記ブレーキ機構は、前記マストの基端となる基端管柱に設けられた圧力調整部と、前記マストの先端となる先端管柱に設けられた閉塞部と、前記圧力調整部と前記閉塞部とで仕切ることによってマストの内部に形成した空気室とを有し、前記圧力調整部は、前記空気室と外部とを連通する第１の通気穴と、前記空気室と外部とを連通する第２の通気穴と、前記第２の通気穴のみを開閉自在に閉塞する弁体とが設けられており、前記弁体は、自重により前記第２の通気穴を閉塞し得るように設けられていることを特徴とする。
【発明の効果】
【０００８】
本発明の伸縮支柱によれば、マストを収縮させる場合には、第２の通気穴を弁体で塞ぐことにより、予め空気室内の空気を緩やかに逃がすように選定された第１の通気穴からのみ、圧縮空気を外部へ逃がすことができると共に、マストを伸長させる場合には、第１の通気穴と共に第２の通気穴からも空気を供給することとしたことにより、格段と容易にマストを引き上げることができるので、操作性を向上することができる。
【発明を実施するための最良の形態】
【０００９】
以下図面を参照して、本発明の好適な実施形態について説明する。
１．全体構成
図１に示す伸縮支柱１は、固定対象物としての照明装置２、電源装置３、及び、基台としての搬送装置４とからなる投光機５に用いられる。この投光機５は、伸縮支柱１の先端に照明装置２を装着し、該伸縮支柱１及び電源装置３を搬送装置４に取付固定して構成される。これにより、投光機５は、全体として、適当な場所に移動した上で、伸縮支柱１によって所定高さに保持された照明装置２に、電源装置３から電力を供給して、周囲に光を供給し得る。
【００１０】
伸縮支柱１は、複数の管柱を互いに入れ子式に挿入して伸縮自在としたマスト６を備える。前記マスト６は、３本の筒形の管柱で構成され、搬送装置４に固定される基端管柱としての第１の管柱７と、前記第１の管柱７より外径を小さくした中管柱としての第２の管柱８と、前記第２の管柱８より外径を小さくした先端管柱としての第３の管柱９とを備える。そして、マスト６は、前記第１の管柱７に第２の管柱８を内挿し、さらに、前記第２の管柱８に第３の管柱９を内挿して伸縮自在に構成されている。第３の管柱９の上端には、第３の管柱９に対し上下動可能に設けられた取付杆10が設けられており、該取付杆10に前記照明装置２が着脱自在に取り付けられている。
【００１１】
このように本発明に係る伸縮支柱１は、先端を鉛直方向上方に向けた状態で基端が搬送装置４に固定され、伸縮することによって、照明装置２を所定高さに保持し得るように構成されている。
【００１２】
図２に示すように、伸縮支柱１は、マスト６と、ストッパー機構15,15と、ブレーキ機構16と、潤滑油供給機構17,17とを備え、円滑にマスト６を伸縮できるように構成されている。
【００１３】
ストッパー機構15,15は、第１の管柱７及び第２の管柱８の先端に設けられている。これらのストッパー機構15,15は、設置箇所が異なるのみで、構成は何ら異ならないので、簡単のため第１の管柱７に設けられたストッパー機構15について説明する。このストッパー機構15は、筒状の保持体20と、着脱ネジ21とからなる。前記保持体20は、第１の管柱７の先端に固定されてなり、第２の管柱８の外面側壁に当接し得るように上端に設けられた折り返し部20aと、半径方向に貫通するタップ穴22とを備える。また、着脱ネジ21の先端には、第１の管柱７の外面側壁に当接する当接部21aが設けられている。このストッパー機構15は、着脱ネジ21を螺合して、折り返し部20aを第２の管柱８の外面側壁に押し当てることにより、第２の管柱８を第１の管柱７に対し固定する。尚、ストッパー機構15は、上記した構成に限定されるものではなく、種々の公知のストッパー機構15を適用することができることはいうまでもない。
【００１４】
ブレーキ機構16は、第１の管柱７の下端開口に設けられた圧力調整部25と、第３の管柱９の下端開口に設けられた閉塞部26と、前記圧力調整部25と前記閉塞部26とで仕切ることによりマスト６の内部に形成された空気室27とを備えている。尚、第２の管柱８の下端開口には、第１の管柱７の内側と第３の管柱９の内側とを連通する連通部28が設けられている。
【００１５】
圧力調整部25は、マスト６の伸長時又は収縮時に対応して、空気室27内の圧力を適宜調整し得るように構成されている。この圧力調整部25は、第１の管柱７の下端開口を塞ぐ底板部材30を有し、該底板部材30に第１の通気穴31、第２の通気穴32、及び弁体33とが設けられており、第１の管柱７の下端開口に固定されている。
【００１６】
第１の通気穴31及び第２の通気穴32は、第１の管柱７の軸方向に貫通してなる。第１の通気穴31は、空気室27内の空気を外部へ緩やかに逃がし得るように形成されている。一方、第２の通気穴32は、外部から空気室27の内部へ空気を円滑に取り込み得るように形成されている。従って、第２の通気穴32は、第１の通気穴31に対し大きく形成されている。
【００１７】
弁体33は、外部から空気室27内へ流れる空気は通すが、空気室27内から外部へ流れる空気は止める、いわゆる逆止弁として機能する。この弁体33は、弾性変形可能なゴムの板状部材を、縦長の矩形状に形成してなり、一端33aを前記第２の通気穴32を塞ぐように配置した状態で、他端33bにおいて底板部材30にボルト34で固定されている。
【００１８】
閉塞部26は、空気室27の上端の気密を保持し得るように構成されている。この閉塞部26は、第３の管柱９を閉塞する底部材40と、シール41とを備える。また、閉塞部26は、前記シール41に潤滑油としてのグリースを供給する前記潤滑油供給機構17,17が一体的に設けられている。
【００１９】
シール41は、空気室27の上端の気密を保持すると共に、第３の管柱９を円滑に上下動させ得るように構成されている。このシール41は、有底筒状の部材からなり、底面に対し拡開してなる開口端41aにおいて第２の管柱８の内壁に環状に接触している。
【００２０】
潤滑油供給機構17,17は、前記第３の管柱９の下端開口を塞いでいる底部材40に対向して設けられた天部材42を有し、前記底部材40と前記天部材42との間にグリースを溜めておく貯留室43を形成している。天部材42は、貯留室43に連通する供給穴44と、固定部材としての六角ボルト45が螺合するタップ穴46とが設けられている。貯留室43には、前記シール41に貯留室43内のグリースを供給する吐出穴47が設けられている。この吐出穴47は、第３の管柱９の側壁に設けられている。貯留室43には、グリースが充填されている。
【００２１】
次に、上記のように構成した潤滑油供給機構17の組み立て手順について説明する。先ず、第３の管柱９の内側に貯留室43を形成し得るように、下端開口に対向して天部材42を設置して、該天部材42を六角穴付ボルト48で、第３の管柱９の側壁に固定する。また、底部材40とシール41とは、底部材40の一面にシール41の底面を当接させ、中央に穿設された貫通穴に挿通した六角ボルト45を天部材42に形成されたタップ穴46に螺合することにより、第３の管柱９の下端開口に固定される。このようにして潤滑油供給機構17は形成されている。
【００２２】
また、第２の管柱８に設けられた連通部28及び潤滑油供給機構17は、第３の管柱９に設けられた閉塞部26と、固定部材のみが異なる。すなわち、第２の管柱８に設けられた連通部28では、固定部材として連通穴付ボルト50が用いられる。この連通穴付ボルト50は、第２の管柱８の底部を挟んで第３の管柱９側と、第１の管柱７側とを連通する連通穴51が中心軸上に形成されている。
【００２３】
２．作用及び効果
次に上記のように構成した伸縮支柱１の作用及び効果について説明する。伸縮支柱１を備えた投光機５は、搬送装置４によって、設置場所に移動され、該設置場所において、マスト６を伸長させることにより、照明装置２を所定高さに保持する。従って、マスト６が収縮した状態から、マスト６が伸長した状態に移行する場合について、最初に説明する。
【００２４】
マスト６を伸長させるには、着脱ネジ21を緩め、第２の管柱８及び第３の管柱９を引き上げる。そうすると、第１の管柱７の圧力調整部25と第３の管柱９の閉塞部26とで形成された空気室27の容積が増える。尚、第２の管柱８は、第３の管柱９と共に上方へ移動するので、第２の管柱８のみを引き上げたとしても、第１の管柱７の圧力調整部25と第３の管柱９の閉塞部26とで形成された空気室27の容積が増えることとなる。因みに、空気室27の上端は、第３の管柱９の閉塞部26に設けたシール41により気密が保持されている。そうすると、空気室27は一時的に負圧となる。従って、この負圧より、第１の管柱７の底板部材30に設けた第１の通気穴31を通じて外部から空気が空気室27に流れ込む。
【００２５】
ところで、第３の管柱９の上方への移動量、すなわち空気室27の容積の増加量に対し、第１の通気穴31から供給される空気の量が少ないと、空気室27は依然として負圧のままとなる。この空気室27の負圧は、容積を縮める方向の力、すなわち第３の管柱９の閉塞部26に対し鉛直下方の力を発生させるので、その分、鉛直上方への力が減じられ、場合によっては相殺されることとなる。従って、空気室27に生じる負圧は、マスト６を引き上げるユーザに対し負荷を与えることとなる。
【００２６】
これに対し、本発明では、第２の通気穴32を形成し、第１の通気穴31だけでなく、第２の通気穴32からも空気室27に空気が供給されるように構成した。これにより、第２の通気穴32の空気室27内側の開口から、外部の空気が空気室27内へ流れ込む。従って、第１の通気穴31と共に第２の通気穴32からも空気を供給することとしたので、空気室27の負圧を解消することにより、格段と容易に第２の管柱８及び第３の管柱９を引き上げることができる。従って、伸縮支柱１は、伸長時において、空気室27内の負圧を確実に解消することにより、容易にマストを伸長させることができるので、操作性を確実に向上することができる。
【００２７】
尚、第２の通気穴32には、弁体33が設けられている。この弁体33は、弾性変形可能なゴムの板状部材で構成した。マスト６が伸長され空気室27内が負圧になると、弁体33は、第２の通気穴32を塞いでいた一端33aがこの負圧によって上方へ引っ張られる。これにより弁体33は、第２の通気穴32を開放する（図３（Ａ））。このようにして圧力調整部25は、マスト６の伸長時において弁体33を開いて第２の通気穴32を開放し、第１の通気穴31に加え、第２の通気穴32からも空気を空気室27内に取り込めるようにして、空気室27の負圧を確実に解消することとした。
【００２８】
このようにして第２の管柱８及び第３の管柱９を所定の長さまで引き上げた後、伸縮支柱１は、着脱ネジ21を締めることで、マスト６の先端に取り付けた照明装置２を所定高さに保持することができる。この状態において、図示しない電源スイッチをオンにすることによって、電源装置３から電力が供給され、ファンによって供給された空気でバルーンが膨らむと同時に、電球が点灯する。このようにして、脚装置は、所定高さに照明装置２を保持し、周囲に光を供給し得る。
【００２９】
次に、マスト６が伸長した状態から、マスト６が収縮した状態に移行する場合について説明する。先ず、電源スイッチをオフし、バルーンに対する空気の供給を止めてバルーンを萎ませると共に、電球を消灯する。
【００３０】
次いで、伸長したマスト６を収縮させるには、着脱ネジ21を緩め、第２の管柱８及び第３の管柱９を下方へ移動させる。この場合、第２の管柱８及び第３の管柱９は、それぞれの自重、及び照明装置２の自重により、鉛直下方へ相当程度の荷重が生じる。この荷重により、第２の管柱８及び第３の管柱９は、自由落下する。
【００３１】
これにより、第１の管柱７の圧力調整部25と第３の管柱９の閉塞部26とで形成された空気室27は、容積が減ることとなる。そうすると、空気室27内の空気は圧縮空気となる。因みに、空気室27の上端は、第３の管柱９の閉塞部26に設けたシール41により気密が保持されているので、空気室27内の圧縮空気は、第１の通気穴31を通じて外部へと流れ出す。この第１の通気穴31は、予め圧縮空気を緩やかに流すように選定されている。これにより、圧力調整部25は、一定の流速以下で圧縮空気を外部へ逃がすことにより、空気室27の圧力を所定圧に保持する。この空気室27の圧力によって、第３の管柱９の閉塞部26には鉛直上方への力が生じる。従って、伸縮支柱１は、空気室27内を所定圧に保持して上記鉛直上方の力を生じさせ、この鉛直上方の力を、第２の管柱８、第３の管柱９、及び照明装置２の自重によって生じる鉛直下方の力に対向させることにより、マスト６を緩やかに収縮させる。このようにして、伸縮支柱１は、マスト６を収縮させる場合に、マスト６が急に落下するのを防いで、操作性を向上することができる。因みに、空気室27の圧力は、マスト６の収縮に伴って減少し、第３の管柱９が下死点に達した状態で大気圧となる。
【００３２】
尚、第１の管柱７の底板部材30には、第２の通気穴32が形成されているが、該第２の通気穴32は、弁体33で塞がれており、かつ、弁体33は圧縮空気により底板部材30に押し付けられているので、第２の通気穴32を確実に閉塞しておくことができる。すなわち、予め空気室27内の空気を緩やかに逃がすように選定された第１の通気穴31からのみ、圧縮空気を外部へ逃がすことができる。これにより、伸縮支柱１は、空気室27の容積を緩やかに減少させ、その結果、この空気室27の容積の減少に伴ってマスト６を緩やかに収縮させる。こうして、伸縮支柱１は、第２の管柱８、第３の管柱９、及び、照明装置２の自重によって収縮させる場合でも、マスト６が急に落下するのを確実に防止することができるので、操作性を向上することができる。
【００３３】
さらに、本実施形態では、弁体33は、弾性変形可能なゴムの板状部材を、縦長の矩形状に形成してなり、一端33aが前記第２の通気穴32を塞ぐように配置した状態で、他端33bにおいて底板部材30にボルト34で固定されている。これにより、空気室27内が負圧となったとき、すなわちマスト６が伸長した場合には、弁体33は、負圧によって上方へ引っ張られ、これにより第２の通気穴32を開放する。一方、空気室27内に圧縮空気が形成されたとき、すなわちマスト６が収縮した場合には、弁体33は、底板部材30に押し付けられ、確実に第２の通気穴32を閉塞する。このようにして、弁体33は、マスト６の伸縮に合わせて適宜第２の通気穴32を閉塞又は開放する。これにより、圧力調整部25は、空気室27の圧力を適宜調整し、収縮時には外部へ逃がす空気の量を絞り、マスト６を緩やかに収縮させると共に、伸長時には外部から空気を効率よく流し込み、マスト６を引き上げるユーザに負荷を与えないようにする。従って、伸縮支柱１は、空気室27の空気をマスト６の伸縮に合わせて適切に調整することができるので、ユーザが特に意識しなくても、操作性を確実に向上することができる。
【００３４】
また、マスト６の伸縮に伴い、第２の管柱８及び第３の管柱９に設けたシール41はそれぞれ第１の管柱７及び第２の管柱８の内壁と摺動する。この第２の管柱８及び第３の管柱９には、潤滑油供給機構17,17を設け、シール41にグリースを供給し得るように構成した。これにより、シール41には常にグリースが供給されるので、磨耗、劣化を防いで円滑に摺動させることができる。従って、本実施形態に係る伸縮支柱１は、操作性を向上することができる。
【００３５】
さらに、第２の管柱８に設けられた連通部28の潤滑油供給機構17,17は、強制的にグリースをシール41に供給し得るように構成されている。すなわち、潤滑油供給機構17,17の天部材42には、貯留室43に連通する供給穴44が形成されており、この供給穴44を通じて、マスト６を収縮する際に空気室27内に形成される上記圧縮空気が貯留室43内のグリースを加圧する。圧縮空気によって加圧された貯留室43内に貯留されているグリースは、第３の管柱９の側壁に形成された吐出穴47から押し出されて、シール41に供給される。
【００３６】
このように、本発明に係る伸縮支柱１では、マスト６を収縮させた場合に空気室27内に形成される圧縮空気で貯留室43内のグリースを加圧することにより、強制的にシール41にグリースを供給することができる。すなわち、通常の使用を継続している限り、本実施形態に係る伸縮支柱１によれば、ユーザが何ら意識しなくても、貯留室43に貯留されているグリースを確実にシール41に供給し続けることができる。従って、伸縮支柱１は、シール41の劣化を防いで円滑に動作させることができるので、操作性をより確実に向上することができる。
【００３７】
また、第２の管柱８に設けた連通部28には、固定部材として連通穴付ボルト50を用いた。これにより、グリースを貯留しておく貯留室43に別途連通穴51を設けることなく、確実に第１の管柱７側と第３の管柱９側とを連通して、空気室27を形成することができる。従って、伸縮支柱１では、マスト６を製造する際の製造工数を低減できると共に、連通穴51からのグリース漏れを防止することができる。
【００３８】
次に、弁体60の変形例について図４を参照して説明する。図４に示す弁体60は、第２の通気穴32の空気室27側に形成されたオリフィス32aを塞ぐように設けられたケース61と、該ケース61内に装填されたコイルバネ62と、該コイルバネ62によって付勢された状態で前記第２の通気穴32を閉塞するように設置されたボ−ル弁63とからなる。尚、ケース61体には、予め空気穴64が穿設されている。
【００３９】
このように構成された弁体60は、マスト６を収縮する場合、すなわち、空気室27内の圧力の方が外気圧より高い場合は、コイルバネ62の付勢力によってボ−ル弁63が第２の通気穴32に押し付けられ、第２の通気穴32を閉塞する。これにより、伸縮装置１は、空気室27内の空気を第１の通気穴31のみから緩やかに逃がすことにより、マスト６を緩やかに収縮する。
【００４０】
一方、マスト６を伸長する場合、すなわち、外気圧と空気室27内の圧力差によってボ−ル弁63に生じる上方向の力が、コイルバネ62の付勢力より大きくなった場合、ボ−ル弁63が前記上方向の力によってオリフィス32aから持ち上げられることにより、第２の通気穴32が開放される。これにより、マスト６は第１の通気穴31に加え、第２の通気穴32を通って空気穴64から空気室27内に外気を取り込むことができる。従って、伸縮装置１は、ユーザに負担を与えることなく、マスト６を円滑に伸長することができる。
【００４１】
本発明は、本実施形態に限定されるものではなく、本発明の要旨の範囲内で種々の変形実施が可能である。例えば、本実施形態では、中管柱は第２の管柱８を１本とした場合について説明したが、本発明はこれに限らず、中管柱を２本、３本等、複数本としてもよいし、あるいは全く設けないこととしてもよい。
【００４２】
また、上記した実施形態では、マスト６は筒形の管柱で構成した場合について説明したが、本発明はこれに限らず、矩形の管柱で構成してもよい。
【００４３】
また、上記した実施形態では、基台は、搬送装置４とした場合について説明したが、本発明はこれに限らず、展開可能な三脚としてもよい。
【００４４】
また、上記した実施形態では、固定対象物は、照明装置２とした場合について説明したが、本発明はこれに限らず、カメラや、スピーカに適用してもよい。
【００４５】
また、上記した実施形態では、照明装置２は、バルーンを備えるものについて説明したが、本発明はこれに限らず、スポットライトとしてもよい。
【００４６】
また、上記した実施形態では、弁体33は、弾性変形可能なゴムの板状部材で構成した場合について説明したが、本発明はこれに限らず、弾性を有する他の部材、例えば、金属の板状部材などで構成してもよい。
【図面の簡単な説明】
【００４７】
【図１】本発明に係る伸縮支柱の使用状態を示す投光機の全体斜視図である。
【図２】同上、伸縮支柱の縦断面図である。
【図３】同上、圧力調整部の使用状態を示す斜視図であり、（Ａ）伸長時、（Ｂ）収縮時を示す図である。
【図４】同上、弁体の変形例を示す断面図である。
【国際調査報告】
2009540220.tif 000008
2009540220.tif 000009